(57)【要約】【課題】  つかみ手を把持する手が火傷する危険を防止するとともに、上記嵌合部の上記外周膨出部に対する嵌合状態が緩くなるおそれを防止することが可能なコンロ用つかみ手を提供する。【解決手段】  つかみ手４は、嵌合部３と接触するストッパ４ｔを有し、つかみ手４を所定角度にすると、ストッパ４ｔが嵌合部３と接触する。そして、つかみ手４が前記嵌合部３との間に形成される取り付け用穴３ｃに回動可能に取り付けられ、このつかみ手４ｔを垂下状態からほぼ水平姿勢に近づけると、つかみ手４の取り付け用穴３ｃに対する取り付け状態が強くなり、つかみ手がそのほぼ水平姿勢を維持する。【選択図】  図１
0003117136.tif 000002
【実用新案登録請求の範囲】
【請求項１】
コンロの火炎開口部の外周に膨出した外周膨出部を下支えする外周支持部材と、外周支持部材の所定箇所に設けられ上記外周膨出部を上下方向から嵌合させる嵌合部と、この嵌合部に回動可能に取り付けられる持ち運びのためのつかみ手とを備え、
つかみ手は、嵌合部と接触するストッパを有し、つかみ手を所定角度にすると、ストッパが嵌合部と接触すること特徴とするコンロ用つかみ手。
【請求項２】
前記つかみ手が前記嵌合部との間に形成される取り付け用穴に回動可能に取り付けられ、このつかみ手を垂下状態からほぼ水平姿勢に近づけると、つかみ手の取り付け用穴に対する取り付け状態が強くなり、つかみ手がそのほぼ水平姿勢を維持することを特徴とする請求項１記載のコンロ用つかみ手。
【請求項３】
前記取り付け用穴は、前記嵌合部の一部分をＵ字状に折り曲げて形成されるか、或いは、つかみ手側の部材を利用してＵ字状に折り曲げて形成されて嵌合部と連結され、前記つかみ手が上記Ｕ字状の開口に着脱自在に取り付けられていることを特徴とする請求項２記載のコンロ用つかみ手。
【請求項４】
前記ストッパは、つかみ手を垂下状態からほぼ水平姿勢にすると、前記嵌合部の上方側と接触することを特徴とする請求項２記載のコンロ用つかみ手。
【請求項５】
前記嵌合部が外周支持部材に対向して一対設けられ、この一対の嵌合部に各々前記つかみ手が左右一対設けられていることを特徴とする請求項１ないし請求項４のいずれか１項記載のコンロ用つかみ手。
【考案の詳細な説明】
【技術分野】
【０００１】
本考案は、木炭や練炭が使用されるコンロに取り付けられるコンロ用つかみ手に関する。
【背景技術】
【０００２】
従来、木炭や練炭が使用されるコンロは、魚を焼くときや焼き肉をするとき等に、その焼き具合や風味を醸し出すものとして、現在でも調理器具として欠かせないものになっている。木炭や練炭が使用されるコンロのなかでも、土製のコンロは七輪と呼ばれる。図９に示すコンロは、木炭が使用される珪藻土で作られた土製コンロ、すなわち七輪であり、土製コンロ２１の外周に配される薄い帯金Ｋが主要な箇所に配されて型くずれを防止している。そして、上記薄い帯金Ｋの所定箇所に形成される取り付け用穴２２が形成されている。また、この取り付け用穴２２に連続する穴２３が土製コンロ自体にも形成されている。持ち運びのためのつかみ手２４は、金属製の円弧形状のもので、円弧形状の両側先端部２４ａ，２４ｂを取り付け用穴２２とコンロの穴２３に連続的に直接差し込んで取り付けられている。
【０００３】
しかし、従来のコンロ用つかみ手２４では、その両先端部２４ａ，２４ｂが薄い帯金Ｋの取り付け用穴２２に差し込まれるもので、七輪のような土製コンロ２１に直接コンロ用つかみ手を設けられているために、上記穴２３が広がって容易に外れることとなっていた。また、土製コンロ２１の火炎が薄い帯金Ｋにも直接伝導して脆弱化させることもつかみ手が容易に外れる原因となっていた。したがって、土製コンロ２１を持ち運ぶときに炭火を落下させる危険を有する。また、コンロ用つかみ手２４を交換しようにも、上記帯金Ｋの取り付け用穴２２が脆弱し、土製コンロ２１の穴２３も広がっているために交換しても、すぐにまた外れる問題を有していた。また、魚を焼くときや焼き肉をするとき等においては、火炎開口部を塞ぐように網板が載置されるが、網板は火炎開口部の上に単に載置されるに過ぎないことから、網板の位置がずれたり、ときには誤って落下させる危険を有していた。
【０００４】
このため、本願出願人は、コンロの火炎開口部の上方外周に膨出した外周膨出部と、コンロの外周膨出部を下支えする外周支持部材と、外周支持部材の所定箇所に設けられ上記外周膨出部を上下方向から嵌合させる嵌合部と、この嵌合部に取り付けられる持ち運びのためのつかみ手とを備えたコンロ用つかみ手を既に開示している。
【特許文献１】特許第３５９５５０１号公報
【考案の開示】
【考案が解決しようとする課題】
【０００５】
しかしながら、上記従来例のいずれの場合も、つかみ手を手で把持してコンロを持ち上げようとすると、つかみ手が火炎開口部に近づき、このためつかみ手を把持する手が火傷する危険を有していた。また、上記嵌合部は、上記外周膨出部を上下方向から嵌合させるものであるが、つかみ手の経年の使用によっては、上記嵌合部の上記外周膨出部に対する嵌合状態が緩くなるおそれを有していた。
【０００６】
そこで、本考案は、つかみ手を把持する手が火傷する危険を防止するとともに、上記嵌合部の上記外周膨出部に対する嵌合状態が緩くなるおそれを防止することが可能なコンロ用つかみ手を提供することを目的とする。
【課題を解決するための手段】
【０００７】
本考案は、上記課題を解決するために、コンロの火炎開口部の外周に膨出した膨出部を下支えする外周支持部材と、外周支持部材の所定箇所に設けられ上記外周膨出部を上下方向から嵌合させる嵌合部と、この嵌合部に回動可能に取り付けられる持ち運びのためのつかみ手とを備え、つかみ手は、嵌合部と接触するストッパを有し、つかみ手を所定角度にすると、ストッパが嵌合部と接触することを特徴とする。
【０００８】
この考案によれば、つかみ手を所定角度にすると、ストッパが嵌合部と接触することから、つかみ手を把持した手が火炎開口部に近づき火傷するような事態を防止することができる。また、前記ストッパが嵌合部と接触することにより、上記外周膨出部に対する嵌合部の嵌合状態を強くすることができる。
【０００９】
本考案の請求項２記載のコンロ用つかみ手は、前記つかみ手が前記嵌合部との間に形成される取り付け用穴に回動可能に取り付けられ、つかみ手を垂下状態からほぼ水平姿勢に回動すると、つかみ手の取り付け用穴に対する取り付け状態が強くなり、つかみ手がそのほぼ水平姿勢を維持することを特徴とする。
【００１０】
この考案によれば、つかみ手を垂下状態からほぼ水平姿勢にすると、つかみ手の取り付け用穴に対する取り付け状態が強くなり、上記ほぼ水平姿勢でそれ以上の角度変更が阻止されるため、つかみ手を把持した手を火炎開口部から最も遠い位置でほぼ水平状態に維持し、火傷の危険が最も少なくなる。また、つかみ手の取り付け用穴に対する取り付け状態が強くなり、ほぼ水平状態のままに維持するので、木炭や練炭を交換して再度持ち運ぶような場合や、焼き網を交換して再度持ち運ぶような場合において、持ち運び易いほぼ水平姿勢を維持したままになる。
【００１１】
本考案の請求項３記載のコンロ用つかみ手は、前記取り付け用穴は、前記嵌合部の一部分をＵ字状に折り曲げて形成されるか、或いは、つかみ手側の部材を利用してＵ字状に折り曲げて形成されて嵌合部と連結され、前記つかみ手が上記Ｕ字状の開口に着脱自在に取り付けられていることを特徴とする。
【００１２】
この考案によれば、前記取り付け用穴は、前記嵌合部の一部分をＵ字状に折り曲げて形成されるか、或いは、つかみ手側の部材を利用してＵ字状に折り曲げて形成されて嵌合部と連結され、前記つかみ手が上記Ｕ字状の開口に着脱自在に取り付けられていることから、つかみ手を別個に製作して容易に取り付けることができ、また、不要なときにも容易に取り外すことができる。
【００１３】
本考案の請求項４記載のコンロ用つかみ手は、前記ストッパは、つかみ手を垂下状態からほぼ水平姿勢にすると、前記嵌合部の上方側と接触することを特徴とする。
【００１４】
この考案によれば、前記ストッパは、つかみ手を垂下状態からほぼ水平姿勢にすると、前記嵌合部の上方側と接触することから、上記外周膨出部を上下方向から嵌合させる嵌合部の嵌合状態を強くすることができるとともに、強く締め付けすぎることを防止することとなる。つまり、つかみ手を把持してコンロを持ち運ぶとき、常に嵌合部を上記外周膨出部に対して締め付けるようにした状態で持ち運ぶことができるので、安全なコンロの持ち運びができるようになる。
【００１５】
本考案の請求項５記載のコンロ用つかみ手は、前記嵌合部が外周支持部材に対向して一対設けられ、この一対の嵌合部に各々前記つかみ手が左右一対設けられていることを特徴とする。
【００１６】
この考案によれば、つかみ手が左右一対設けられていることから、コンロを左右の手で安定した安全な姿勢で運搬することができる。
【考案の効果】
【００１７】
本考案のコンロ用つかみ手は、つかみ手を所定角度にすると、ストッパが嵌合部と接触することから、つかみ手を把持した手が火炎開口部に近づき、火傷するような事態を防止することができる。したがって、火の付いたコンロを持ち運ぶときの安全を確保することができる。また、前記ストッパが嵌合部と接触することにより、上記外周膨出部を上下方向から嵌合させる嵌合部の嵌合状態を強くすることができる。したがって、つかみ手を把持してコンロを持ち運ぶとき、常に嵌合部を上記外周膨出部に対して締め付けるようにした状態で安定した安全なコンロの持ち運びができるようになる。
【考案を実施するための最良の形態】
【００１８】
以下、本考案の一実施の形態を図面を参照しながら説明する。
【００１９】
本実施の形態は、土製のコンロ、すなわち七輪に適用されるコンロ用つかみ手である。七輪Ｓは、図１ないし図４に示すように、断面円形状で火炎開口部Ｓ１の上方外周に膨出した外周膨出部Ｓ２が円形に形成され、下方から上方に向かって径の大きさが大きくなっている。火炎開口部Ｓ１には、火のついた木炭や練炭が入れられる。また、内部（火炎開口部）Ｓ１への空気量を調節する開口窓が正面側に設けられている。土製のコンロＳの外周や火炎開口部Ｓ１には、型くずれを防止するための帯金Ｋが設けられている。
【００２０】
本実施の形態のコンロ用つかみ手１は、金属製のもので、土製コンロＳの外周膨出部Ｓ２を下支えする外周支持部材２と、外周支持部材２の所定箇所に対向して設けられる嵌合部３と、持ち運びのための円弧状のつかみ手４とから構成されている。外周支持部材２は、正円形状、つまり土製コンロＳの外周膨出部Ｓ２よりも一回り小さい正円形状（リング）であり、その所定箇所に対向して嵌合部３が溶接止めされている。この嵌合部３は、正円形状の外周支持部材２に対向して一対取り付けられ、この一対の嵌合部３に左右一対のつかみ手４が取り付けられている。
【００２１】
嵌合部３は、土製コンロＳの外周膨出部Ｓ２を上下方向から嵌合させるもので（嵌合部３の上方側（ほぼ水平な上方係止片３ｂ側）では帯金Ｋを介して嵌合される。）、上方に向かって広がりを有する「く」の字状を呈し、その下方部３ａが外周支持部材２の所定箇所に溶接止めされ、その上方に、ほぼ水平な上方係止片３ｂが設けられている。したがって、嵌合部３は、土製コンロＳの外周膨出部Ｓ２を上下方向から嵌合させると、土製コンロＳの外周膨出部Ｓ２とは所定間隔Ｈを保って取り付けられる。すなわち、嵌合部３の内側と外周膨出部Ｓ２との間隔を所定間隔Ｈを保って取り付けられる。
【００２２】
つかみ手４は、長方形状の一辺４ａにストッパである突出部４ｔが凸状に形成されたものであり、上記一辺４ａを摺接させる取り付け用穴３ｃが設けられた嵌合部３に取り付けられている。嵌合部３の取り付け用穴３ｃは、横方向に２個設けられ、上記長方形状の突出部４ｔを有する一辺４ａが摺接可能に取り付けられている。ここで、取り付け用穴３ｃは、嵌合部３の一部分をほぼＵ字状に折り曲げて形成され、その折り曲げ状態が正円形状に形成され、他方、つかみ手４の一辺４ａは楕円形状に形成されている（図５（ａ）（ｂ））。このため、つかみ手４の一辺４ａが取り付け用穴３ｃに対して回転すると、その摺接状態が強くなったり（図５（ａ））、弱くなったりする（図５（ｂ））。本実施の形態では、つかみ手４を垂下状態からほぼ水平姿勢にすると、つかみ手４の一辺の４ａの楕円形状が横方向に向き、取り付け用穴３ｃに対する取り付け状態が強くなり（図５（ｂ））、上記ほぼ水平姿勢以上の角度変更が阻止され、これと伴に、つかみ手４はそのほぼ水平姿勢をそのまま維持するようになっている。取り付け用穴３ｃは、嵌合部３の一部分をほぼＵ字状に折り曲げて形成され、このため、つかみ手４が上記Ｕ字状の開口４ｃから着脱自在に構成され、つかみ手４を別個に製作して容易に取り付けることができ、また、不要なときにも容易に取り外すことができる構造になっている。なお、ストッパである中央が凸状の突出部４ｔは、つかみ手４の一辺４ａが取り付け用穴３ｃに対して位置ずれ防止の役割も有している。
【００２３】
したがって、火のついたコンロＳを持ち運びするときは、左右一対のつかみ手４を左右の手で各々把持して、垂下状態からほぼ水平状態に持ち上げると（図１）、ストッパ４ｔが嵌合部３の上方側３ｂと接触することから、ほぼ水平姿勢以上には持ち上げることができず、ほぼ水平姿勢を維持することとなる。このほぼ水平姿勢は、上記ほぼ水平姿勢でそれ以上の角度変更が阻止されるため、つかみ手４を把持した手を火炎開口部Ｓ１から最も遠い位置で維持するので、火傷の危険が最も少なくなる。なお、図２示すように、ほぼ水平姿勢以外に角度にしてその位置で角度変更を阻止することも可能であるが（二点鎖線参照）、ほぼ水平姿勢が左右の手を火傷の危険から防止することができるので、ほぼ水平姿勢を維持するようになっている。したがって、木炭や練炭を交換して再度持ち運ぶような場合や、網を交換して再度持ち運ぶような場合において、持ち運び易い姿勢を維持したままになる。また、網を交換するような場合、コンロＳを固定して動かないようにしたい場合があるが、つかみ手がほぼ水平状態を維持してそのままの姿勢を維持するので、この固定した状態のつかみ手４を固定すれば、コンロの移動を防止することも可能である。なお、つかみ手４を垂下状態にするときは、つかみ手４を下方に少しだけ力を入れれば、楕円方向が縦側に向くことで、上記固定状態が解除され、垂下状態になる（図５（ａ））。また、ストッパ４ｔは、つかみ手４をほぼ水平姿勢から垂下状態にするときも、ストッパ４ｔは、嵌合部３の下方側（下方係止片３ｂ側）と接触することから、つかみ手４が垂下状態以上に回転するときも、つかみ手４の取り付け用穴３ｃに対する取り付け状態が強くなる。
【００２４】
ここで、つかみ手４と取り付け用穴３ｃとの関係としては、一方を正円形状や楕円形状として、他方をこれらとは逆にしたり、更に多角形状にしたり、互いに摺接する箇所に、切欠きや突起等を設けることによっても、つかみ手４の取り付け用穴３ｃに対する取り付け状態が強くしたり、弱くしたりすることが可能である。また、例えば、他の実施の形態としては、図６ないし図８に示すように、つかみ手７に取り付け用穴７ｃを形成した部品９を一体的に取り付け（つかみ手７の一辺７ａがＵ字状の部品９に一体的に取り付けられ）、この部品９にストッパ７ｔが折り曲げるように設けられ、他方、嵌合部３には、上記取り付け用穴７ｃに摺接状態で嵌合する棒状部材３ｖが左右の側面部３ｄに取り付けられ、この棒状部材３ｖに対してストッパ７ｔがつかみ手７とともに回転するような構造にすることも可能である。つまり、Ｕ字状に折り曲げられる部分９は、嵌合部３側に設けられている必要はない。
【００２５】
以上、本実施の形態のコンロ用つかみ手１は、金属製のもので説明したが、本考案はこれに限定されるものではなく、他の合金、合成樹脂材料等でも適用できるものである。また、七輪で説明したが、本考案はこれに限定されるものではなく、木炭や練炭が使用されるコンロに広く適用できるものである。さらに、本実施の形態のコンロ用つかみ手１は、土製コンロＳとは、別体であり、それ自体としても販売が可能であり、土製コンロＳと同じ大きさのものであれば、土製コンロＳ以外の持ち運びにも使用可能である。
【図面の簡単な説明】
【００２６】
【図１】本考案の第１の実施の形態のコンロ用つかみ手の使用状態を示す斜視図である。
【図２】上記実施の形態のコンロ用つかみ手の動作を説明する断面図である。
【図３】上記実施の形態を示す斜視図である。
【図４】上記実施の形態をコンロに取り付けた状態の斜視図である。
【図５】上記実施の形態のつかみ手と取り付け用穴との関係を説明する断面図である。
【図６】本考案の第２の実施の形態のコンロ用つかみ手を示す斜視図である。
【図７】上記実施の形態のつかみ手と取り付け用穴との関係を説明する断面図である。
【図８】上記実施の形態のつかみ手と取り付け用穴との関係を説明する平面図である。
【図９】従来のコンロ用つかみ手の例を示す断面図である。
【符号の説明】
【００２７】
１   コンロ用つかみ手、
２   外周支持部材、
３， 嵌合部、
３ａ  下方係止片（嵌合部の下方側）、３ｂ  上方係止片（嵌合部の上方側）、
３ｖ  棒状部材
４，７   つかみ手、４ａ，７ａ  つかみ手の一辺、４ｔ，７ｔ  ストッパ、
９  Ｕ字状の部品、３ｃ，７ｃ    取り付け用穴、
Ｓ   土製のコンロ（七輪）、
Ｓ１ 火炎開口部、Ｓ２ 外周膨出部、Ｋ 帯金
【図１】
0003117136.tif 000003
【図２】
0003117136.tif 000004
【図３】
0003117136.tif 000005
【図４】
0003117136.tif 000006
【図５】
0003117136.tif 000007
【図６】
0003117136.tif 000008
【図７】
0003117136.tif 000009
【図８】
0003117136.tif 000010
【図９】
0003117136.tif 000011